(57)【要約】【課題】  回転ドア回転ドアについては、固定された回転ドアの円筒壁と、回転する仕切りパネルとの間に人間は挟まれるという事故が発生している。これらの事故を防止する方法として、センサーを設置して、人間が挟まれそうになった場合に、仕切りパネルの回転を停止させるなどの方法があったが、センサーにより仕切りパネルの回転を停止する場合であっても、センサーが危険を感知してから、実際に停止するまでの間には若干の時間がかかり、人間が急に入ってきた場合などは、停止するまでに挟まれてしまうなどの問題点があった。【解決手段】  固定された円筒壁と回転する仕切りパネルとの間に、スライド可能な円弧パネルを設置することで、万が一挟まれた場合であっても円弧パネルが衝撃をやわらげることによって、事故を防止する。【選択図】  図１
2006046045.tif 000002
【特許請求の範囲】
【請求項１】
固定された円筒壁と、スライド可能な円弧パネルを有する回転ドアにおいて、回転ドアに人間が挟まれた場合に、スライド可能な円弧パネルが回転ドアの回転方向と同じ方向にスライドすることにより衝撃をやわらげることを特徴とする、回転ドアシステム。
【請求項２】
固定された円筒壁と、スライド可能な円弧パネルを有する回転ドアにおいて、スライド可能な円弧パネルと回転する仕切りパネルの間に人間が挟まれた場合、もしくは挟まれそうになった場合に、センサーにより回転する仕切りパネルを停止する動作を行うとともに、スライド可能な円弧パネルは回転する仕切りパネルの回転方向と同じ方向に移動することで、衝撃をやわらげることを特徴とする回転ドアシステム。
【発明の詳細な説明】
【技術分野】
【０００１】  本発明は、回転ドア装置に関し、特にスライド可能な円弧パネルを供えたものに関する。
【背景技術】
【０００２】  回転ドアについては、固定された回転ドアの円筒壁と、回転する仕切りパネルとの間に人間は挟まれるという事故が発生している。これらの事故を防止する方法として、センサーを設置して、人間が挟まれそうになった場合に、仕切りパネルの回転を停止させるなどの方法があった。
【発明の開示】
【発明が解決しようとする課題】
【０００３】  ところで、センサーにより仕切りパネルの回転を停止する場合であっても、センサーが危険を感知してから、実際に停止するまでの間には若干の時間がかかり、人間が急に入ってきた場合などは、停止するまでに挟まれてしまうなどの問題点があった。【０００４】  本発明は、前記した問題点を解決せんとするもので、その目的とするところは、万が一回転ドアに挟まれた場合であっても、スライド可能な仕切りパネルにより衝撃をやわらげ、安全な回転ドアの利用を提供せしめんとすることにある。
【課題を解決するための手段】  前記目的を達成するために、本発明によるシステムは、次に記載するような特徴的な構成を採用している。【０００５】  （１）通常の状態では、スライド可能な円弧パネルは、回転ドアの固定部分の端と回転する仕切りパネルの位置が交差する位置よりも、前方（仕切りパネルの回転方向とは逆方向）にスライドしてある。【０００６】  （２）スライド可能な仕切りパネルと、回転ドア本体の間に人間が挟まった場合、回転ドアの固定部分より先に、まずはスライド可能な円弧パネルとの間に挟まれることとなる。スライド可能な円弧パネルは、人間は挟まった場合には、円弧パネルの回転方向と同一方向にスライドすることにより、衝撃をやわらげることが可能である。【０００７】  （３）また、自動的に回転する大型の回転ドアにおいては、スライド可能な円弧パネルは、回転ドアの仕切りパネルと同一方向に移動する。回転ドアの仕切りパネルとスライド可能な円弧パネルとの間に人が挟まった場合や挟まりそうになった場合は、センサーが感知し、仕切りパネルの回転を停止させる動作に入るが、スライド可能な円弧パネルは移動を継続する。このことにより、大型の回転ドアにおいても、仕切りパネルと固定部分に挟まれることを防止することが可能である。
【発明を実施するための最良の形態】
【０００８】  図１及び図２は本発明の請求項１の形態におけるシステムの概略図を示している。１は固定された円筒壁。２はスライド可能な円弧パネル。３は回転する仕切りパネル、４は仕切りパネル３の回転方向。５はスライド可能な円弧パネルがスライドする方向である。以下、本発明に係るシステムの実施の形態を図と共に説明する。【０００９】  通常の状態では、スライド可能な円弧パネル２は、図１の位置にある。回転する仕切りパネル３とスライド可能な円弧パネルとの間に人間が挟まった場合に、図２のように、スライド可能な円弧パネルも仕切りパネルの回転方向と同じ方向に移動することで、衝撃をやわらげる。【００１０】  図３及び図４及び図５は本発明の請求項２の形態におけるシステムの概略図を示している。１１は固定された円筒壁、１２はスライド可能な円弧パネル、１３は回転する仕切りパネル、１４は仕切りパネル１３の回転方向。１５はスライド可能な円弧パネル１２がスライドする方向、１６は円弧パネル１２がもとに戻る方向である。以下、本発明に係るシステムの実施の形態を図と共に説明する。【００１１】  通常ではスライド可能な円弧パネル１２は、図３の位置にある。回転する仕切りパネル１３がスライド可能な円弧パネル１２と接触する位置に来る、あるいは接触する位置に近づくと、円弧パネル１２は図４のように、仕切りパネル１３の動きに合わせて、１５の方向に移動する。【００１２】  回転ドアに設置されているセンサーが、仕切りパネル１３と円弧パネル１２との間に人間が挟まる等の異常を感知すると、仕切りパネル１３の回転を停止する動作を行う。一方、円弧パネル１２は１５の方向への移動を続けることにより、人間が挟まった場合でも仕切りパネル１３と円弧パネル１２の間にスペースが生じる為、怪我などを防止できる。【００１３】    円弧パネル１２は、正常な動作で仕切りパネルが一定の位置まで移動すると、１５方向へのスライドを停止し、逆に１６の方向に移動を行い、図５の位置で停止する。【００１４】  以降、同様な動きを繰り返すことにより、安全な回転ドアの運行が実施できる。
【図面の簡単な説明】
【００１５】
【図１】本発明の請求項１における回転ドアの平面図である。
【図２】本発明の請求項１における回転ドアの平面図である。
【図３】本発明の請求項２における回転ドアの平面図である。
【図４】本発明の請求項２における回転ドアの平面図である。
【図５】本発明の請求項２における回転ドアの平面図である。
【符号の説明】
【００１６】  １          固定された円筒壁
２          スライド可能な円弧パネル
３          回転する仕切りパネル
４          仕切りパネル３の回転方向
５          スライド可能な円弧パネル２がスライドする方向
１１        固定された円筒壁
１２        スライド可能な円弧パネル
１３        回転する仕切りパネル
１４        仕切りパネル１３の回転方向
１５        スライド可能な円弧パネル１２がスライドする方向
１６        スライド可能な円弧パネル１２がもとに戻る方向
【図１】
2006046045.tif 000003
【図２】
2006046045.tif 000004
【図３】
2006046045.tif 000005
【図４】
2006046045.tif 000006
【図５】
2006046045.tif 000007